【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】  ウレタン触媒、膨張剤、必要によりシリコーン界面活性剤セル安定化剤、およびセル開放剤の存在下で有機ポリイソシアネートをポリオールと反応させることからなる可撓性ポリウレタンフォームの製造方法において、活性メチレン基またはメチン基を含む化合物がセル開放剤として含まれることを改良点とする上記方法。
【請求項２】  セル開放剤が、β−ジカルボニル化合物、シアノ酢酸のエステル、１,３−アセトンジカルボン酸のエステル、２−アシル−１,３−ジケトン、２−アシル−１,３−ケトエステル、および置換基が電子吸引性基である置換された酢酸のエステルからなる群から選択される、活性メチレン基またはメチン基を含む化合物からなる請求項１記載の方法。
【請求項３】  セル開放剤が、式
【化１】
2000143761.tif 000001
（式中、Ｒ1、Ｒ2、Ｒ3、Ｒ4、Ｒ5およびＲ6は独立して、水素、Ｃ1〜Ｃ20アルキル、Ｃ6〜Ｃ10アリール、置換されたＣ1〜Ｃ20アルキルまたは置換されたＣ6〜Ｃ10アリール基であり；ＹおよびＹ′は独立してＣ6〜Ｃ10アリール基、置換されたＣ6〜Ｃ10アリール基または、Ｘ、Ｘ′およびＸ″が独立して水素、ハロゲン、Ｃ1〜Ｃ20アルキル、Ｃ6〜Ｃ10アリール、置換されたＣ1〜Ｃ20アルキルもしくは置換されたＣ6〜Ｃ10アリール基であるＣＸＸ′Ｘ″である）
の一つのβ−ジケトンからなる請求項１記載の方法。
【請求項４】  セル開放剤が式
【化２】
2000143761.tif 000002
（式中、ＹおよびＹ′は独立してＣ6〜Ｃ10アリールまたはＸ、Ｘ′およびＸ″が独立して水素、ハロゲン、Ｃ1〜Ｃ20アルキル、Ｃ6〜Ｃ10アリール、置換されたＣ1〜Ｃ20アルキルもしくは置換されたＣ6〜Ｃ10アリール基であるＣＸＸ′Ｘ″である）
のβ−ケトエステルからなる請求項１記載の方法。
【請求項５】  セル安定化剤が一般式
【化３】
2000143761.tif 000003
（式中、ＹはＣ6〜Ｃ10アリールまたはＸ、Ｘ′およびＸ″が独立して水素、ハロゲン、Ｃ1〜Ｃ20アルキル、Ｃ6〜Ｃ10アリール、置換されたＣ1〜Ｃ20アルキルもしくは置換されたＣ6〜Ｃ10アリール基であるＣＸＸ′Ｘ″である）
を有するシアノ酢酸のエステルからなる請求項１記載の方法。
【請求項６】  セル安定化剤が一般式
【化４】
2000143761.tif 000004
（式中、ＹおよびＹ′は独立してＣ6〜Ｃ10アリールまたはＸ、Ｘ′およびＸ″が独立して水素、ハロゲン、Ｃ1〜Ｃ20アルキル、Ｃ6〜Ｃ10アリール、置換されたＣ1〜Ｃ20アルキルもしくは置換されたＣ6〜Ｃ10アリール基であるＣＸＸ′Ｘ″である）
の１,３−アセトンジカルボン酸のエステルからなる請求項１記載の方法。
【請求項７】  セル開放剤が一般式
【化５】
2000143761.tif 000005
（式中、Ｙ、Ｙ′およびＹ″は独立してＣ6〜Ｃ10アリールまたはＸ、Ｘ′およびＸ″が独立して水素、ハロゲン、Ｃ1〜Ｃ20アルキル、Ｃ6〜Ｃ10アリール、置換されたＣ1〜Ｃ20アルキルもしくは置換されたＣ6〜Ｃ10アリール基であるＣＸＸ′Ｘ″である）
の２−アシル−１,３−ジケトンからなる請求項１記載の方法。
【請求項８】  セル開放剤が一般式
【化６】
2000143761.tif 000006
（式中、ＹはＣ6〜Ｃ10アリールまたはＸ、Ｘ′およびＸ″が独立して水素、ハロゲン、Ｃ1〜Ｃ20アルキル、Ｃ6〜Ｃ10アリール、置換されたＣ1〜Ｃ20アルキルもしくは置換されたＣ6〜Ｃ10アリール基であるＣＸＸ′Ｘ″であり、ＤおよびＤ′は電子吸引性置換基である）
のいずれかの置換された酢酸のエステルからなる請求項１記載の方法。
【請求項９】  セル開放剤が２,４−ペンタンジオン、２,４−ヘキサンジオン、ジベンゾイルメタン、１−ベンゾイルアセトン、トリアセチルメタン、メチルシアノアセテート、エチルシアノアセテート、ブチルシアノアセテート、オクチルシアノアセテート、ジエチル−１,３−アセトンジカルボキシレート、２,４−ペンタンジオンのピロリジン誘導体、２,４−ペンタンジオンのピペリジン誘導体、１,３−シクロヘキサンジオン、エチルアセトアセテート、３−メチル−２,４−ペンタンジオン、３−エチル−２,４−ペンタンジオン、ジエチルマロネートおよびエチルニトロアセテートからなる群から選択される請求項１記載の方法。
【請求項１０】  セル開放剤がメチルシアノアセテート、エチルシアノアセテート、ブチルシアノアセテート、オクチルシアノアセテート、２,４−ペンタンジオンおよびエチルニトロアセテートからなる群から選択される請求項１記載の方法。
【請求項１１】  膨張剤が水または水とＨＣＦＣからなる請求項１記載の方法。
【請求項１２】  膨張剤が水または水とＨＣＦＣからなる請求項２記載の方法。
【請求項１３】  ウレタン触媒、膨張剤としての水または水とＨＣＦＣ、必要によりシリコーン界面活性剤セル安定化剤、およびセル開放剤の存在下で有機ジイソシアネートをポリエステルポリオールまたはポリエーテルポリオールと反応させることからなる可撓性ポリウレタンフォームの製造方法において、β−ジカルボニル化合物、シアノ酢酸のエステル、１,３−アセトンジカルボン酸のエステル、２−アシル−１,３−ジケトン、２−アシル−１,３−ケトエステル、および置換基が電子吸引性基である置換された酢酸のエステルからなる群から選択される、活性メチレン基またはメチン基を含む化合物がセル開放剤として含まれ、またセル開放剤が０.００１〜２.５pphpp存在する上記の方法。
【請求項１４】  セル開放剤が０.００５〜１.５pphpp存在する請求項１３記載の方法。
【請求項１５】  重量部（pbw）単位で以下の成分：
ポリオール                ２０〜１００
ポリマーポリオール        ８０〜０
シリコーン界面活性剤      ０.５〜２.５
安定化剤／セル開放剤      ０.０５〜３
水                        １〜８
補助的膨張剤              ０〜４.５
架橋剤                    ０.５〜２
触媒組成物                ０.１〜５
イソシアネート指数        ７０〜１１５
を含む組成物を反応させることにより製造される、密度が０.６〜２５ポンド／ft3（１０〜４００kg／m3）である可撓性ポリウレタンフォームであって、安定化剤／セル開放剤が、β−ジカルボニル化合物、シアノ酢酸のエステル、１,３−アセトンジカルボン酸のエステル、２−アシル−１,３−ジケトン、２−アシル−１,３−ケトエステル、および置換基が電子吸引性基である置換された酢酸のエステルからなる群から選択される、活性メチレン基またはメチン基を含む化合物からなる上記の可撓性ポリウレタンフォーム。
【請求項１６】  安定化剤／セル開放剤が、２,４−ペンタンジオン、２,４−ヘキサンジオン、ジベンゾイルメタン、１−ベンゾイルアセトン、トリアセチルメタン、メチルシアノアセテート、エチルシアノアセテート、ブチルシアノアセテート、オクチルシアノアセテート、ジエチル−１,３−アセトンジカルボキシレート、２,４−ペンタンジオンのピロリジン誘導体、２,４−ペンタンジオンのピペリジン誘導体、１,３−シクロヘキサンジオン、エチルアセトアセテート、３−メチル−２,４−ペンタンジオン、３−エチル−２,４−ペンタンジオン、ジエチルマロネートおよびエチルニトロアセテートからなる群から選択される請求項１５記載の可撓性フォーム。
【請求項１７】  セル開放剤がメチルシアノアセテート、エチルシアノアセテート、ブチルシアノアセテート、オクチルシアノアセテート、２,４−ペンタンジオンおよびエチルニトロアセテートからなる群から選択される請求項１５記載の可撓性フォーム。